(57)【要約】      （修正有）【課題】付勢部材の付勢力を強化することなく、カバー部材に衝撃が加えられた場合にカバー部材のロックが外れることを回避可能なカバーロック装置、及び画像形成装置を提供する。【解決手段】画像形成装置は、ロックカバー１１１と係合してロックカバー１１１の開放を制限可能な第１位置Ｐ１と、ロックカバー１１１との係合が外れる第２位置Ｐ２との間を回動可能な制限部材１１２と、制限部材１１２を第１位置Ｐ１へ付勢するコイルばね１１３と、通電に応じて駆動して制限部材１１２を第２位置Ｐ２へ移動させるソレノイド１１４と、ソレノイド１１４で発生する駆動力を制限部材１１２に伝達するリンク部材１１５と、リンク部材１１５の駆動方向Ｄ２１と交差する方向への移動を規制する規制部１１６と、を備える。【選択図】図６
2018072361.tif 000002
【特許請求の範囲】
【請求項１】
画像形成装置の側面に設けられる開口部を開閉するカバー部材と、
閉塞状態の前記カバー部材と係合して前記カバー部材の開放を制限可能な第１位置と前記第１位置よりも前記カバー部材の内側であって前記カバー部材との係合が外れる第２位置との間を回動可能な制限部材と、
前記制限部材を前記第１位置へ付勢する付勢部材と、
前記制限部材よりも前記カバー部材の内側に設けられ、通電に応じて駆動して前記制限部材を前記第２位置へ移動させるソレノイドと、
前記ソレノイドの駆動方向に沿って長尺状に設けられ、前記制限部材の回動軸を含み且つ前記駆動方向と直交する基準面と交差する位置とは異なる位置で前記制限部材に連結されており、前記ソレノイドで発生する駆動力を前記制限部材に伝達するリンク部材と、
前記リンク部材と接触して前記リンク部材の前記駆動方向と交差する方向への移動を規制する規制部と、
を備えるカバーロック装置。
【請求項２】
前記規制部は、前記回動軸の軸方向に突出する突出部であって、
前記リンク部材は、前記突出部が挿通される孔部を有する、
請求項１に記載のカバーロック装置。
【請求項３】
前記リンク部材及び前記制限部材は、前記リンク部材又は前記制限部材に設けられた軸部と、前記軸部が遊嵌される軸受け部とによって連結されている、
請求項１又は２に記載のカバーロック装置。
【請求項４】
請求項１〜３のいずれかに記載のカバーロック装置と、
前記開口部に着脱可能に設けられ、現像剤が収容される現像剤収容部と、
前記現像剤収容部から供給される現像剤を用いて画像を形成する画像形成部と、
を備える画像形成装置。
【発明の詳細な説明】
【技術分野】
【０００１】
本発明は、現像剤を用いて画像を形成する画像形成装置、及び画像形成装置に設けられるカバーロック装置に関する。
【背景技術】
【０００２】
電子写真方式の画像形成装置では、トナーなどの現像剤を用いてシートに画像を形成する画像形成処理が実行される。この種の画像形成装置は、自装置に着脱可能であって、現像剤が収容される現像剤収容部を備える。
【０００３】
また、この種の画像形成装置では、自装置に装着された現像剤収容部の取り外しが制限されることがある。例えば、現像剤収容部が着脱される際に開閉されるカバー部材にロックをかけることで、ユーザーによる現像剤収容部の取り外しを制限可能な画像形成装置が従来技術として知られている（特許文献１参照）。
【０００４】
具体的に、上記従来技術に係る画像形成装置は、制限部材と、付勢部材と、ソレノイドとを備える。制限部材は、閉塞状態のカバー部材と係合してカバー部材の開放を制限する第１位置と、カバー部材との係合が外れる第２位置との間を回動可能である。付勢部材は、制限部材を第１位置へ付勢する。ソレノイドは、通電に応じて駆動して制限部材を第２位置へ移動させる。
【先行技術文献】
【特許文献】
【０００５】
【特許文献１】特開２０１０−２５６５５７号公報
【発明の概要】
【発明が解決しようとする課題】
【０００６】
ところで、画像形成装置では、カバー部材がユーザーによって叩かれるなどによりカバー部材に衝撃が加えられた場合に、その衝撃によって制限部材が回動して、制限部材によるカバー部材のロックが外れることがある。これに対し、付勢部材の付勢力を強化することで、カバー部材に衝撃が加えられた場合における制限部材の回動を抑制することが可能である。しかしながら、この場合には、付勢部材の付勢力の強化に合わせてソレノイドの駆動力を強化する必要があり、ソレノイドにおける駆動電力が増大又はソレノイドのサイズが大型化する。
【０００７】
本発明の目的は、付勢部材の付勢力を強化することなく、カバー部材に衝撃が加えられた場合にカバー部材のロックが外れることを回避可能なカバーロック装置、及び画像形成装置を提供することにある。
【課題を解決するための手段】
【０００８】
本発明の一の局面に係るカバーロック装置は、カバー部材と、制限部材と、付勢部材と、ソレノイドと、リンク部材と、規制部とを備える。前記カバー部材は、画像形成装置の側面に設けられる開口部を開閉する。前記制限部材は、閉塞状態の前記カバー部材と係合して前記カバー部材の開放を制限可能な第１位置と前記第１位置よりも前記カバー部材の内側であって前記カバー部材との係合が外れる第２位置との間を回動可能である。前記付勢部材は、前記制限部材を前記第１位置へ付勢する。前記ソレノイドは、前記制限部材よりも前記カバー部材の内側に設けられ、通電に応じて駆動して前記制限部材を前記第２位置へ移動させる。前記リンク部材は、前記ソレノイドの駆動方向に沿って長尺状に設けられ、前記制限部材の回動軸を含み且つ前記駆動方向と直交する基準面と交差する位置とは異なる位置で前記制限部材に連結されており、前記ソレノイドで発生する駆動力を前記制限部材に伝達する。前記規制部は、前記リンク部材と接触して前記リンク部材の前記駆動方向と交差する方向への移動を規制する。
【０００９】
本発明の他の局面に係る画像形成装置は、前記カバーロック装置と、現像剤収容部と、画像形成部とを備える。前記現像剤収容部は、前記開口部に着脱可能に設けられ、現像剤が収容される。前記画像形成部は、前記現像剤収容部から供給される現像剤を用いて画像を形成する。
【発明の効果】
【００１０】
本発明によれば、付勢部材の付勢力を強化することなく、カバー部材に衝撃が加えられた場合にカバー部材のロックが外れることを回避することが可能である。
【図面の簡単な説明】
【００１１】
【図１】図１は、本発明の実施形態に係る複合機の構成を示す図である。
【図２】図２は、本発明の実施形態に係る複合機の構成を示す図である。
【図３】図３は、本発明の実施形態に係る複合機の構成を示す図である。
【図４】図４は、本発明の実施形態に係る複合機の画像形成装置の構成を示す図である。
【図５】図５は、本発明の実施形態に係る複合機のロックユニットの構成を示す図である。
【図６】図６は、本発明の実施形態に係る複合機のカバーロック装置の構成を示す図である。
【図７】図７は、本発明の実施形態に係る複合機のカバーロック装置の構成を示す図である。
【図８】図８は、本発明の実施形態に係る複合機のカバーロック装置の一部構成を示す図である。
【発明を実施するための形態】
【００１２】
以下、添付図面を参照しながら、本発明の実施形態について説明する。以下の実施形態は、本発明を具体化した一例であって、本発明の技術的範囲を限定するものではない。なお、図面中に定義された前後方向及び上下左右方向を用いて説明することがある。
【００１３】
図１に示されるように、本発明の実施形態に係る複合機３００（本発明の画像形成装置の一例）は、画像形成装置１００及び画像読取装置２００を備える。画像読取装置２００は、画像形成装置１００の上部に装着されている。画像読取装置２００は、ＣＣＤ等の撮像素子を用いて、原稿台２００Ａに載置される原稿から画像データを読み取ることが可能である。なお、本発明の画像形成装置は、画像読取装置２００が装着されないプリンターであってもよい。
【００１４】
画像形成装置１００は、コンテナ収容部１０、画像形成部２０、及び給紙カセット３０などを備えるカラープリンターである。コンテナ収容部１０には、複数色のトナー等の現像剤が収容される複数の現像剤収容部１０１（図４参照）が個別に着脱可能である。
【００１５】
コンテナ収容部１０の前面には、開閉可能な前面カバー１０Ａが設けられている。また、画像形成部２０の前面には、開閉可能な前面カバー２０Ａが設けられている。なお、画像形成装置１００には、前面カバー１０Ａの開閉を検出する光学センサーなどの開閉検出部１０Ｂ（図２参照）が設けられている。
【００１６】
前面カバー１０Ａ及び前面カバー２０Ａ各々は、例えば下端部が左右方向と平行な回動軸によって回動可能に支持されている。即ち、前面カバー１０Ａ及び前面カバー２０Ａ各々は、上部が前方に回動して開かれる。給紙カセット３０各々は、画像形成装置１００に着脱可能であり、画像が形成される紙などのシートが収容される。
【００１７】
ここに、図２には、前面カバー１０Ａが開かれた状態の複合機３００が示されている。コンテナ収容部１０には、トナー等の現像剤が収容される複数の現像剤収容部１０１の着脱の可否を切り替えるためのロックユニット４０が設けられている。
【００１８】
ロックユニット４０は、画像形成装置１００のコンテナ収容部１０に着脱可能なオプションユニットである。ロックユニット４０は、複数の現像剤収容部１０１に対応する複数のカバーロック装置１１（図５参照）を備える。そして、カバーロック装置１１では、各色の現像剤が収容される現像剤収容部１０１に対応するロックカバー１１１（本発明のカバー部材の一例）が個別に開閉可能である。
【００１９】
ここに、図３には、ロックカバー１１１が取り外された状態の複合機３００が示されている。複合機３００の前面におけるロックカバー１１１各々の内側には、ロックカバー１１１によって開閉される開口部１１０が設けられている。開口部１１０には、現像剤収容部１０１を着脱することが可能である。ロックカバー１１１は、現像剤収容部１０１の着脱時に開閉される。
【００２０】
また、カバーロック装置１１は、ロックカバー１１１の開放の制限の有無（ロックの有無）を切り替え可能である。ロックユニット４０の詳細については後段で説明する。なお、画像形成装置１００は、ロックユニット４０が装着されていない状態でも現像剤収容部１０１の着脱が可能であり、ロックユニット４０が装着されていない状態で使用することも可能である。
【００２１】
図４に示されるように、画像形成部２０は、複数の画像形成ユニット１〜４と、中間転写ベルト５、光走査装置６、二次転写装置７、及び定着装置８などを備える。画像形成部２０は、現像剤収容部１０１に収容されている現像剤を用いて、給紙カセット３０から供給される紙などのシートにモノクロ画像又はカラー画像を形成することが可能である。
【００２２】
画像形成ユニット１〜４各々は、現像剤収容部１０１に収容されている現像剤を用いて画像を形成する電子写真方式の画像形成ユニットである。画像形成ユニット１〜４各々は、感光体ドラム、帯電装置、現像装置、一次転写装置、及びドラムクリーニング装置などを備える。画像形成ユニット１〜４は、中間転写ベルト５の走行方向に沿って並設され、所謂タンデム方式の画像形成部２０を構成している。画像形成ユニット１〜４各々の前記現像装置には、現像剤収容部１０１各々からＹＭＣＫ各色の現像剤（現像剤）が供給される。
【００２３】
また、画像形成装置１００には、ＣＰＵ、ＲＯＭ、ＲＡＭ等を含み、画像形成装置１００及び画像読取装置２００を制御する制御部９が設けられている。具体的に、制御部９は、現像剤収容部１０１各々に収容されている現像剤の残量又は使用量を検出し、その現像剤の残量又は使用量が予め定められた閾値に達している場合に、現像剤残量低下のエラーを不図示の表示部などに報知する。例えば、現像剤の残量又は使用量は、光学センサー又は重量センサーなどによる検知結果、或いは、印刷枚数又は印字率などに基づく演算結果に基づいて検出可能である。
【００２４】
また、制御部９は、前述したように、後述のカバーロック装置１１におけるロックカバー１１１各々の開放の可否を任意に切り替えるロック制御処理を実行する。具体的に、前記ロック制御処理において、制御部９は、現像剤収容部１０１各々に収容されている現像剤の残量が検出される場合は、現像剤残量が前記閾値を上回っている現像剤収容部１０１に対応するロックカバー１１１をロックし、現像剤残量が前記閾値以下である現像剤収容部１０１に対応するロックカバー１１１のロックを解除する。
【００２５】
より具体的に、制御部９は、いずれかの現像剤収容部１０１の現像剤の残量が前記閾値以下になっている状態で、開閉検出部１０Ｂによって前面カバー１０Ａの開放が検出された場合に、その現像剤収容部１０１に対応するロックカバー１１１のロックを解除する。このとき、複数のロックカバー１１１のうちロックが解除されるロックカバー１１１は、現像剤の残量が前記閾値以下になっているロックカバー１１１のみである。
【００２６】
これにより、ユーザーが前面カバー１０Ａを開くと、複数のロックカバー１１１のうち交換の必要がある現像剤収容部１０１に対応するロックカバー１１１のロックが解除されることになる。従って、現像剤の残量が前記閾値を上回っている交換不要な現像剤収容部１０１が無駄に交換されることが防止される。なお、ロックカバー１１１のロック解除の条件はこれに限らない。
【００２７】
続いて、図５〜図７を参照しつつ、ロックユニット４０について説明する。なお、図７はカバーロック装置１１によるロックカバー１１１のロックが解除された状態を示す図である。
【００２８】
図５に示されるように、ロックユニット４０は、フレーム部材４０Ａ、及び４つのカバーロック装置１１を備える。フレーム部材４０Ａは、開口部１１０各々における上部を形成する部材である。フレーム部材４０Ａの上面には、前後方向に沿って形成された凹部４０Ｂが、カバーロック装置１１各々に対応して設けられている。
【００２９】
カバーロック装置１１各々は、図５に示されるように、ロックカバー１１１、制限部材１１２、コイルばね１１３（本発明の付勢部材の一例）、ソレノイド１１４、リンク部材１１５、及び規制部１１６を備える。カバーロック装置１１各々の制限部材１１２、コイルばね１１３、及びソレノイド１１４は、フレーム部材４０Ａの上面に設けられる。また、カバーロック装置１１各々のリンク部材１１５、及び規制部１１６は、フレーム部材４０Ａの凹部４０Ｂに設けられる。
【００３０】
ロックカバー１１１は、下端部が開口部１１０各々における下部を形成する不図示のフレーム部材に設けられた左右方向と平行な回動軸によって回動可能に支持されている。即ち、ロックカバー１１１は、コンテナ収容部１０の前面カバー１０Ａと同様に、上部が前方に回動して開かれる。
【００３１】
ロックカバー１１１の上部には、制限部材１１２と係合可能な被係合部１１１Ａが設けられている。被係合部１１１Ａは、図６に示されるように、ロックカバー１１１の裏面から突出して右方向に屈曲するフック形状に形成される。
【００３２】
制限部材１１２は、ロックカバー１１１の被係合部１１１Ａと係合可能な係合部１１２Ａを有する。係合部１１２Ａは、図６に示されるように、前方に向けて突出して左方向に屈曲するフック形状に形成される。
【００３３】
また、制限部材１１２は、フレーム部材４０Ａの上面に回動可能に設けられる。具体的に、フレーム部材４０Ａの上面には、図６に示されるように、回動軸４０Ｃが設けられている。一方、制限部材１１２は、回動軸４０Ｃを挿通可能な軸孔部１１２Ｂを有する。制限部材１１２は、軸孔部１１２Ｂが回動軸４０Ｃに挿通されて、フレーム部材４０Ａに回動方向Ｄ１へ回動可能に支持される。
【００３４】
制限部材１１２は、ロックカバー１１１の開放を制限可能な第１位置Ｐ１（図６参照）と、ロックカバー１１１の開放の制限（ロック）が解除される第２位置Ｐ２（図６及び図７参照）との間を回動することが可能である。ここで、第１位置Ｐ１は、図６に示されるように、係合部１１２Ａが閉塞状態のロックカバー１１１の被係合部１１１Ａと係合可能な位置である。また、第２位置Ｐ２は、図６及び図７に示されるように、第１位置Ｐ１よりもロックカバー１１１の内側の位置であって、係合部１１２Ａとロックカバー１１１の被係合部１１１Ａとの係合が外れる位置である。なお、制限部材１１２の第１位置Ｐ１よりも左側への回動及び第２位置Ｐ２よりも右側への回動は、フレーム部材４０Ａの上面に設けられた不図示の係止部により制限される。
【００３５】
コイルばね１１３は、制限部材１１２を第１位置Ｐ１へ付勢する。具体的に、コイルばね１１３は、図６に示されるように、フレーム部材４０Ａの上面において左右方向に延在して設けられる。コイルばね１１３は、長手方向の一端が制限部材１１２の左側部に設けられた第１固定部１１２Ｄに固定され、他端がフレーム部材４０Ａの上面に設けられた第２固定部４０Ｄに固定される。コイルばね１１３は、自然長よりも伸長された状態で、第１固定部１１２Ｄ及び第２固定部４０Ｄに固定される。そのため、制限部材１１２は、コイルばね１１３によって左方向へ引っ張られて、第１位置Ｐ１へ付勢される。
【００３６】
ソレノイド１１４は、図６に示されるように、制限部材１１２よりもロックカバー１１１の内側に設けられる。ソレノイド１１４は、通電に応じて駆動して制限部材１１２を第２位置Ｐ２へ移動させる。具体的に、ソレノイド１１４は、所謂プル型で駆動する構成であって、駆動方向Ｄ２１に沿って長尺状なプランジャー１１４Ａを有する。
【００３７】
ソレノイド１１４は、制御部９の制御指示に基づく不図示の電源からの給電に応じて、プランジャー１１４Ａを駆動方向Ｄ２１へ駆動する。これにより、後述するリンク部材１１５を介して制限部材１１２が第１位置Ｐ１から第２位置Ｐ２へ移動されて、ロックカバー１１１のロックが解除される。
【００３８】
なお、制御部９によるソレノイド１１４の駆動タイミング（ロックの解除タイミング）は、予め設定された任意のタイミングであればよい。例えば、制御部９は、現像剤収容部１０１のいずれかにおける現像剤の残量が前記閾値以下になっており、且つ前面カバー１０Ａが開かれたタイミングで、現像剤の残量が前記閾値以下の現像剤収容部１０１に対応するソレノイド１１４を駆動させる。
【００３９】
ここで、制限部材１１２には、図６に示されるように、第１位置Ｐ１から第２位置Ｐ２へ移動される際に、ロックカバー１１１の被係合部１１１Ａをロックカバー１１１の開放方向へ向けて押圧する押圧部１１２Ｃが設けられている。ロックカバー１１１は、制限部材１１２によるロックが解除される際に、押圧部１１２Ｃによって押圧されて、閉塞状態から開放状態へ状態遷移する。
【００４０】
ソレノイド１１４の駆動が開始されてから予め定められた時間が経過すると、前記電源からソレノイド１１４への給電は停止される。これにより、制限部材１１２は、コイルばね１１３の付勢力により、第２位置Ｐ２から第１位置Ｐ１へ移動される。なお、プランジャー１１４Ａは、前記電源からソレノイド１１４への給電が停止されると、ソレノイド１１４の内部に設けられた付勢部材により駆動前の位置に戻される。
【００４１】
その後、ユーザーによる現像剤収容部１０１の着脱作業が終了して、開放されたロックカバー１１１がユーザーによって閉じられると、ロックカバー１１１の被係合部１１１Ａと制限部材１１２の係合部１１２Ａとがスナップフィットにより係合する。これにより、ロックカバー１１１が制限部材１１２によりロックされて、現像剤収容部１０１のコンテナ収容部１０に対する着脱がロックカバー１１１によって制限される。
【００４２】
ところで、ソレノイド１１４のプランジャー１１４Ａが制限部材１１２に直接連結される場合には、ロックカバー１１１に衝撃が加えられた場合に、制限部材１１２によるロックカバー１１１のロックが外れることがある。例えば、ロックカバー１１１がユーザーによって叩かれた場合に、その衝撃によって制限部材１１２が第２位置Ｐ２側へ回動して、制限部材１１２によるロックが外れることがある。これに対し、コイルばね１１３の付勢力を強化することで、ロックカバー１１１に衝撃が加えられた場合における制限部材１１２の回動を抑制することが可能である。しかしながら、この場合には、コイルばね１１３の付勢力の強化に合わせてソレノイド１１４の駆動力を強化する必要があり、ソレノイド１１４における駆動電力が増大又はソレノイド１１４のサイズが大型化する。
【００４３】
これに対し、本発明の実施形態に係る複合機３００では、以下に説明するように、コイルばね１１３の付勢力を強化することなく、ロックカバー１１１に衝撃が加えられた場合にロックカバー１１１のロックが外れることを回避することが可能である。
【００４４】
リンク部材１１５は、ソレノイド１１４のプランジャー１１４Ａと制限部材１１２とを連結して、ソレノイド１１４で発生する駆動力を制限部材１１２に伝達する。図６に示されるように、リンク部材１１５は、ソレノイド１１４の駆動方向Ｄ２１に沿って長尺状に設けられる。
【００４５】
リンク部材１１５は、長手方向の一端に軸孔部１１５Ａを有する。軸孔部１１５Ａには、ソレノイド１１４のプランジャー１１４Ａに設けられる軸部１１４Ｂが挿通される。これにより、プランジャー１１４Ａとリンク部材１１５とが連結される。なお、ソレノイド１１４のプランジャー１１４Ａに軸孔部１１５Ａが設けられ、リンク部材１１５に軸部１１４Ｂが設けられていてもよい。
【００４６】
また、リンク部材１１５は、長手方向の他端に軸部１１５Ｂ（本発明の軸部の一例）を有する。軸部１１５Ｂは、制限部材１１２に設けられる軸孔部１１２Ｅ（本発明の軸受け部の一例）に挿通される。これにより、リンク部材１１５と制限部材１１２とが連結される。なお、リンク部材１１５に軸孔部１１２Ｅが設けられ、制限部材１１２に軸部１１５Ｂが設けられていてもよい。
【００４７】
また、リンク部材１１５は、図６に示されるように、制限部材１１２の回動軸４０Ｃを含み、且つ駆動方向Ｄ２１と直交する基準面Ｘ１と交差する位置とは異なる位置で、制限部材１１２と連結されている。具体的に、リンク部材１１５は、基準面Ｘ１よりもロックカバー１１１側で、制限部材１１２と連結されている。そのため、複合機３００では、ソレノイド１１４が駆動されて制限部材１１２が図７に示される回動方向Ｄ１１へ回動される場合に、軸孔部１１２Ｅが駆動方向Ｄ２１と直交する方向上で移動方向Ｄ３１（図７参照）側へ変位される。
【００４８】
ここで、複合機３００では、リンク部材１１５の軸部１１５Ｂが制限部材１１２の軸孔部１１２Ｅに遊嵌されている。即ち、軸部１１５Ｂの外周と軸孔部１１２Ｅの内周との間に予め定められた距離の間隙が設けられている。これにより、軸孔部１１２Ｅの変位に伴う軸部１１５Ｂの移動方向Ｄ３１への移動が抑制されている。例えば、複合機３００では、ソレノイド１１４が駆動されて制限部材１１２が第１位置Ｐ１から第２位置Ｐ２へ回動される場合に軸部１１５Ｂが移動方向Ｄ３１へ移動しないように、前記間隙が設定されている。そのため、リンク部材１１５は、ソレノイド１１４が駆動されて制限部材１１２が回動方向Ｄ１１へ回動される場合には、軸孔部１１２Ｅの変位に伴って移動方向Ｄ３１へ移動しない。なお、前記間隙は、ソレノイド１１４の駆動に伴うリンク部材１１５の移動方向Ｄ３１への移動を許容するものであってもよい。
【００４９】
一方、複合機３００では、ロックカバー１１１に衝撃が加えられた場合にも、制限部材１１２が回動方向Ｄ１１へ回動される。ここで、リンク部材１１５は、ロックカバー１１１に衝撃が加えられた場合に、制限部材１１２から伝達される衝撃によって移動方向Ｄ３１へ移動される。
【００５０】
ここで、図８には、ロックカバー１１１に衝撃が加えられた場合における、リンク部材１１５の軸部１１５Ｂ及び制限部材１１２の軸孔部１１２Ｅの状態が示されている。ロックカバー１１１に衝撃が加えられて制限部材１１２が回動方向Ｄ１１へ回動されると、リンク部材１１５の軸部１１５Ｂは、回動に伴い変位する軸孔部１１２Ｅと接触位置Ｐ３で接触する。これにより、リンク部材１１５は、制限部材１１２から接触位置Ｐ３における軸孔部１１２Ｅの周面に垂直な方向の力Ｆ１を受ける。ここで、力Ｆ１には、駆動方向Ｄ２１の分力及び移動方向Ｄ３１の分力が含まれる。リンク部材１１５は、力Ｆ１に含まれる移動方向Ｄ３１の分力によって移動方向Ｄ３１へ移動される。具体的に、リンク部材１１５は、力Ｆ１に含まれる移動方向Ｄ３１の分力によって軸孔部１１５Ａを支点に移動方向Ｄ３１へ回動される。また、リンク部材１１５は、力Ｆ１に含まれる駆動方向Ｄ２１の分力によって、駆動方向Ｄ２１へ移動される。
【００５１】
規制部１１６は、リンク部材１１５と接触して、リンク部材１１５の駆動方向Ｄ２１と交差する方向への移動を規制する。
【００５２】
具体的に、規制部１１６は、制限部材１１２の回動軸４０Ｃの軸方向に突出して設けられた突出部である。一方、リンク部材１１５には、規制部１１６を挿通可能な孔部１１５Ｃが設けられている。孔部１１５Ｃは、図６に示されるように、リンク部材１１５における制限部材１１２との連結部側の位置において駆動方向Ｄ２１に沿って長尺状に形成される。規制部１１６は、孔部１１５Ｃの内部において、孔部１１５Ｃの左右方向の内周面との間で予め定められた間隙を隔てて設けられる。
【００５３】
リンク部材１１５は、ロックカバー１１１に衝撃が加えられた場合において、制限部材１１２から受ける力Ｆ１に含まれる移動方向Ｄ３１の分力によって移動方向Ｄ３１へ回動されると、図８に示される接触位置Ｐ４で規制部１１６と接触する。これにより、リンク部材１１５の移動方向Ｄ３１へのそれ以上の移動が禁止される。
【００５４】
また、リンク部材１１５が力Ｆ１に含まれる移動方向Ｄ３１の分力を受けて規制部１１６と接触することで、図８に示されるように、リンク部材１１５の力Ｆ１に含まれる駆動方向Ｄ２１の分力による駆動方向Ｄ２１への移動に対する摩擦力Ｆ２が発生する。これにより、リンク部材１１５の駆動方向Ｄ２１への移動が制限されると共に、制限部材１１２の回動方向Ｄ１１への回動が制限される。そのため、ロックカバー１１１に衝撃が加えられた場合における制限部材１１２の回動が抑制される。従って、コイルばね１１３の付勢力を強化することなく、ロックカバー１１１に衝撃が加えられた場合にロックカバー１１１のロックが外れることを回避することが可能である。
【００５５】
例えば、規制部１１６の外周面には、リンク部材１１５との間の摩擦係数を高めるための粗面化加工が施されている。なお、リンク部材１１５の孔部１１５Ｃの内周面に粗面化加工が施されていてもよい。
【００５６】
ここで、複合機３００では、規制部１１６が孔部１１５Ｃの内部に設けられている。これにより、規制部１１６がリンク部材１１５の移動方向Ｄ３１側の側方に設けられる構成と比較して、規制部１１６の設置スペースが省略される分、カバーロック装置１１の構成が小型化する。なお、規制部１１６は、リンク部材１１５の移動方向Ｄ３１側の側方に設けられたリブであってもよい。また、規制部１１６は、フレーム部材４０Ａの凹部４０Ｂの壁面であってもよい。
【００５７】
なお、複合機３００において、リンク部材１１５は、基準面Ｘ１よりもソレノイド１１４側で、制限部材１１２と連結されていてもよい。また、複合機３００において、ソレノイド１１４のプランジャー１１４Ａの軸部１１４Ｂは、リンク部材１１５の軸孔部１１５Ａに遊嵌されていてもよい。
【００５８】
また、本発明のカバーロック装置は、現像剤収容部１０１とは異なる部材が収容される開口部を開閉可能なカバー部材に適用されてもよい。例えば、本発明のカバーロック装置は、インクを収容するインク収容部が着脱される開口部を開閉可能なカバー部材に適用されてもよい。
【符号の説明】
【００５９】
１〜４  画像形成ユニット
９      制御部
１０    コンテナ収容部
１０Ａ  前面カバー
１１    カバーロック装置
２０    画像形成部
４０    ロックユニット
１００  画像形成装置
１０１  現像剤収容部
１１０  開口部
１１１  ロックカバー
１１２  制限部材
１１３  コイルばね
１１４  ソレノイド
１１５  リンク部材
１１６  規制部
【図１】
2018072361.tif 000003
【図２】
2018072361.tif 000004
【図３】
2018072361.tif 000005
【図４】
2018072361.tif 000006
【図５】
2018072361.tif 000007
【図６】
2018072361.tif 000008
【図７】
2018072361.tif 000009
【図８】
2018072361.tif 000010